(57)【要約】【課題】光源の輝度及び色度のバラツキを低減することが可能な照明ユニット及びこの照明ユニットを備えた液晶表示装置を提供する。【解決手段】  平板状に形成され、入射面及び出射面を有する導光板と、第１ピッチで配列された複数の発光ダイオードを含む第１ブロック、及び、第１ピッチで配列された複数の発光ダイオードを含む第２ブロックを備え、前記第１ブロックと前記第２ブロックとが第１ピッチよりも大きな第２ピッチで前記入射面に対向配置された光源部と、を備えたことを特徴とする照明ユニット。【選択図】      図３
2012234768.tif 000002
【特許請求の範囲】
【請求項１】
平板状に形成され、入射面及び出射面を有する導光板と、
第１ピッチで配列された複数の発光ダイオードを含む第１ブロック、及び、第１ピッチで配列された複数の発光ダイオードを含む第２ブロックを備え、前記第１ブロックと前記第２ブロックとが第１ピッチよりも大きな第２ピッチで前記入射面に対向配置された光源部と、
を備えたことを特徴とする照明ユニット。
【請求項２】
前記第１ブロック及び前記第２ブロックは、それぞれ同一個数の発光ダイオードを含み、発光ダイオードの並び方向に沿ったブロック長が略同一であることを特徴とする請求項１に記載の照明ユニット。
【請求項３】
前記第１ブロック及び前記第２ブロックの少なくとも一方は、輝度または色度ランクが異なる発光ダイオードを含んでいることを特徴とする請求項１または２に記載の照明ユニット。
【請求項４】
前記発光ダイオードの各々の発光面は、前記導光板の入射面から離間していることを特徴とする請求項１乃至３のいずれか１項に記載の照明ユニット。
【請求項５】
前記光源部は、前記発光ダイオードが実装されるフレキシブルプリント回路基板を備え、
前記フレキシブルプリント回路基板は、前記導光板の前記出射面とは反対側に配置された裏面カバーあるいは放熱板に接着されたことを特徴とする請求項１乃至４のいずれか１項に記載の照明ユニット。
【請求項６】
一対の基板間に液晶層を保持した液晶表示パネルと、
前記液晶表示パネルに重ねて配置され、前記液晶表示パネルを照明する照明ユニットと、を備えた液晶表示装置であって、
前記照明ユニットは、
平板状に形成され、入射面及び出射面を有する導光板と、
第１ピッチで配列された複数の発光ダイオードを含む第１ブロック、及び、第１ピッチで配列された複数の発光ダイオードを含む第２ブロックを備え、前記第１ブロックと前記第２ブロックとが第１ピッチよりも大きな第２ピッチで前記入射面に対向配置された光源部と、
を備えたことを特徴とする液晶表示装置。
【発明の詳細な説明】
【技術分野】
【０００１】
本発明の実施形態は、照明ユニット及び照明ユニットを備えた液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話などの携帯端末機器や、カーナビゲーション装置、アミューズメント機器などの表示装置としても利用されている。
【０００３】
このような液晶表示装置のうち、液晶表示パネルの背面側に照明ユニット（すなわちバックライト）を備えた構成においては、より明るく、より高い表示品位が求められている。このような液晶表示装置に搭載される照明ユニットとして、近年では、高輝度、低消費電力、長寿命といった利点に着目して、発光ダイオード（ＬＥＤ）を光源として適用したものが実用化されている。
【０００４】
このような発光ダイオードを適用した照明ユニットでは、高輝度化の要求に伴って発光ダイオードの使用個数が膨大になり、発光ダイオード単体の性能差のバラツキに起因して輝度や色度のバラツキが大きくなる傾向がある。このため、このような照明ユニットを搭載した液晶表示装置では、アクティブエリアで輝度のバラツキや色度のバラツキが発生し、表示品位の劣化を招くおそれがある。
【先行技術文献】
【特許文献】
【０００５】
【特許文献１】特開２００８−１５３０３９号公報
【発明の概要】
【発明が解決しようとする課題】
【０００６】
本実施形態の目的は、光源の輝度及び色度のバラツキを低減することが可能な照明ユニット及びこの照明ユニットを備えた液晶表示装置を提供することにある。
【課題を解決するための手段】
【０００７】
本実施形態によれば、
平板状に形成され、入射面及び出射面を有する導光板と、第１ピッチで配列された複数の発光ダイオードを含む第１ブロック、及び、第１ピッチで配列された複数の発光ダイオードを含む第２ブロックを備え、前記第１ブロックと前記第２ブロックとが第１ピッチよりも大きな第２ピッチで前記入射面に対向配置された光源部と、を備えたことを特徴とする照明ユニットが提供される。
【０００８】
本実施形態によれば、
一対の基板間に液晶層を保持した液晶表示パネルと、前記液晶表示パネルに重ねて配置され、前記液晶表示パネルを照明する照明ユニットと、を備えた液晶表示装置であって、
前記照明ユニットは、平板状に形成され、入射面及び出射面を有する導光板と、第１ピッチで配列された複数の発光ダイオードを含む第１ブロック、及び、第１ピッチで配列された複数の発光ダイオードを含む第２ブロックを備え、前記第１ブロックと前記第２ブロックとが第１ピッチよりも大きな第２ピッチで前記入射面に対向配置された光源部と、を備えたことを特徴とする液晶表示装置が提供される。
【図面の簡単な説明】
【０００９】
【図１】図１は、本実施形態における液晶表示装置の構成を概略的に示す分解斜視図である。
【図２】図２は、図１に示した液晶表示パネル及び照明ユニットを含む液晶表示装置の構造を概略的に示す断面図である。
【図３】図３は、本実施形態の液晶表示装置１に適用可能な照明ユニット１５おける光源部２０及び導光板２２のレイアウトの一例を概略的に示す平面図である。
【発明を実施するための形態】
【００１０】
以下、本実施形態について、図面を参照しながら詳細に説明する。なお、各図において、同一又は類似した機能を発揮する構成要素には同一の参照符号を付し、重複する説明は省略する。
【００１１】
図１は、本実施形態における液晶表示装置１の構成を概略的に示す分解斜視図である。
【００１２】
すなわち、液晶表示装置１は、略矩形平板状の透過型の液晶表示パネル２と、この液晶表示パネル２を照明する照明ユニット（バックライトユニット）１５と、を備えている。この液晶表示パネル２は、一対の基板間に液晶層を保持することによって構成されている。すなわち、液晶表示パネル２は、略矩形平板状のアレイ基板３及び対向基板４と、これらのアレイ基板３と対向基板４との間に封入された液晶層５と、を備えている。アレイ基板３と対向基板４とは、図示しないシール材を介して貼り合わせられている。
【００１３】
この液晶表示パネル２は、シール材によって囲まれた内側に、画像を表示する略矩形状のアクティブエリア（表示エリア）６を備えている。このアクティブエリア６は、マトリクス状に配置された複数の画素ＰＸによって構成されている。
【００１４】
アレイ基板３は、アクティブエリア６において、複数のゲート配線Ｇ（１、２、…）、複数のソース配線Ｓ（１、２、…）、各画素ＰＸに配置されたスイッチング素子７、各画素ＰＸのスイッチング素子７に接続された画素電極８などを備えている。
【００１５】
各ゲート配線Ｇは、第１方向Ｘに沿って延出している。各ソース配線Ｓは、第１方向Ｘに交差する第２方向Ｙに沿って延出している。各ゲート配線Ｇと各ソース配線Ｓとは、絶縁層を介して交差している。ここに示した例では、第１方向Ｘと第２方向Ｙとは略直交している。なお、ゲート配線Ｇ及びソース配線Ｓは、必ずしも直線的に延出していなくても良く、それらの一部が屈曲していてもよい。
【００１６】
各スイッチング素子７は、ゲート配線Ｇ及びソース配線Ｓと電気的に接続されている。スイッチング素子７は、例えば、アモルファスシリコンやポリシリコンなどによって形成された半導体層を備えた薄膜トランジスタ（ＴＦＴ）などで構成されている。このスイッチング素子７のゲート電極７Ｇは、対応するゲート配線Ｇに電気的に接続されている（あるいは、ゲート電極７Ｇはゲート配線Ｇと一体に形成されている）。スイッチング素子７のソース電極７Ｓは、対応するソース配線Ｓに電気的に接続されている（あるいは、ソース電極７Ｓはソース配線Ｓと一体に形成されている）。スイッチング素子７のドレイン電極７Ｄは、対応する画素ＰＸの画素電極８に電気的に接続されている。なお、このスイッチング素子７については、トップゲート型であっても良いし、ボトムゲート型であっても良い。
【００１７】
画素電極８は、例えば、インジウム・ティン・オキサイド（ＩＴＯ）やインジウム・ジンク・オキサイド（ＩＺＯ）などの光透過性を有する導電材料によって形成されている。この画素電極８は、例えば、スイッチング素子７を覆う層間絶縁膜の上に配置され、層間絶縁膜に形成されたコンタクトホールを介してスイッチング素子７と電気的に接続されている。なお、画素電極８の形状については特に制限はない。
【００１８】
画素電極８との間の電位差により液晶層５に電圧を印加するためのコモン電極９は、アレイ基板３に備えられても良いし、対向基板４に備えられても良い。すなわち、横電界（基板の主面にほぼ平行な水平電界あるいはフリンジ電界）を主として利用するモードでは、アレイ基板３は、画素電極８とは電気的に絶縁され且つ画素電極８に対向するコモン電極９を備えている。また、縦電界（基板の主面にほぼ垂直な垂直電界）あるいは斜め電界（基板の主面に対して傾斜した電界）を主として利用するモードでは、対向基板４は、液晶層５を介して画素電極８に対向するコモン電極９を備えている。このようなコモン電極９は、画素電極８と同様に、光透過性を有する導電材料によって形成されている。
【００１９】
アレイ基板３及び対向基板４の液晶層５と接する面は、それぞれ配向膜によって覆われている。これらのアレイ基板３及び対向基板４は、図示しないスペーサ（例えば、樹脂材料などにより一方の基板に一体的に形成された柱状スペーサ）を介して、それぞれの配向膜を対向させた状態で貼り合わせられている。このとき、アレイ基板３と対向基板４との間には、スペーサによって所定のギャップが形成されている。液晶層５は、アレイ基板３と対向基板４とのギャップに封止された液晶組成物によって形成されている。
【００２０】
また、液晶表示パネル２において、アレイ基板３の外面には第１光学素子ＯＤ１が設けられ、対向基板４の外面には第２光学素子ＯＤ２が設けられている。これらの第１光学素子ＯＤ１及び第２光学素子ＯＤ２は、液晶層５の特性に合わせて偏光方向を設定した偏光板を含んでいる。また、第１光学素子ＯＤ１及び第２光学素子ＯＤ２は、必要に応じて位相差板を含んでいても良い。
【００２１】
カラー表示タイプの液晶表示装置では、液晶表示パネル２は、アクティブエリア６において、複数種類の画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板３または対向基板４の主面に配置される。
【００２２】
液晶表示装置１は、矩形枠状のベゼルカバー１１を備えている。このベゼルカバー１１は、液晶表示パネル２のアクティブエリア６を露出させる略矩形状の窓部１１Ａ、及び、窓部１１Ａを規定する略矩形枠状の本体部１１Ｂを備えている。上述したような構成の液晶表示パネル２は、照明ユニット１５とベゼルカバー１１との間に挟持されている。このとき、照明ユニット１５は、その表面を液晶表示パネル２の背面側（すなわち、アレイ基板側）に対向させた状態で配置され、液晶表示パネル２を背面側から照明する。
【００２３】
図２は、図１に示した液晶表示パネルＬＰＮ及び照明ユニット１５を含む液晶表示装置の構造を概略的に示す断面図である。
【００２４】
照明ユニット１５は、光源部２０、導光板２２、フレーム２３、裏面カバー２４、光学シート２５、反射シート２６などを備えている。
【００２５】
光源部２０は、点光源である複数の発光ダイオード（ＬＥＤ）Ｌ、これらの発光ダイオードＬが実装されるフレキシブルプリント回路基板２１などを備えて構成されている。発光ダイオードＬは、光を出射する発光面Ｅを有している。本実施形態において、発光ダイオードＬは、例えば、白色光を発光するように構成された白色発光ダイオードである。なお、発光ダイオードＬは、赤色光を発光するように構成された赤色発光ダイオード、緑色光を発光するように構成された緑色発光ダイオード、青色光を発光するように構成された青色発光ダイオードなども適用可能である。フレキシブルプリント回路基板２１は、図示した例では、裏面カバー２４に接着されている。なお、図示しないが、フレキシブルプリント回路基板２１は、リフレクタなどの放熱板に接着されても良い。
【００２６】
導光板２２は、光源ユニット２０からの出射光を液晶表示パネル２に向けて案内する機能を有している。この導光板２２は、例えば、アクリル系樹脂やポリカーボネート系樹脂などの光透過性を有する樹脂材料により形成されている。導光板２２は、その一端に肉薄部を有するとともに肉薄部に対向する他端に肉厚部を有する楔形状に形成されたものや、全体に亘って略均一な厚さを有する平板状に形成されたものなどがあるが、本実施形態では、矩形平板状に形成されたものを採用している。
【００２７】
この導光板２２は、液晶表示パネル２側に面した略矩形状の第１主平面２２ａと、この第１主平面２２ａに対向した略矩形状の第２主平面２２ｂと、これらの第１主平面２２ａと第２主平面２２ｂとを接続する４つの端面と、を有している。第１主平面２２ａは、液晶表示パネル２に向けて光を出射する出射面として機能する。図示した例では、導光板２２の４つの端面のうち、一端面２２ｃのみが図示されている。この一端面２２ｃは、光源部２０と対向する入射面として機能する。換言すると、光源部２０は、入射面２２ｃに対向配置されている。なお、発光ダイオードＬの発光面Ｅは、入射面２２ｃから離間している。
【００２８】
フレーム２３は、主に導光板２２を保持するように構成されている。ここでは、このフレーム２３は、液晶表示パネル２も保持するように構成されている。このようなフレーム２３は、例えば、樹脂材料によって形成されている。ベゼルカバー１１は、フレーム２３との間に液晶表示パネル２を挟持した状態で、例えば、フレーム２３に対してカシメやネジ止めなどの手法により固定されている。
【００２９】
裏面カバー２４は、フレーム２３などとともに光源部２０及び導光板２２などを収納可能に形成されている。このような裏面カバー２５は、例えば、フレーム２３に対してカシメやネジ止めなどの手法により固定されている。
【００３０】
光学シート２５は、液晶表示パネル２と導光板２２の第１主平面２２ａとの間に配置されている。例えば、液晶表示パネル２と導光板２２との間には、複数の光学シート２５が積層されている。これらの光学シート２５は、例えば、集光シートや拡散シート、複数の光学的機能を兼ね備えたシートなどであり、導光板２２の第１主平面２２ａから出射した光に対して所定の光学特性を付与して液晶表示パネル２に効率よく導くように構成されている。
【００３１】
反射シート２６は、裏面カバー２４と導光板２２の第２主平面２２ｂとの間に配置されている。この反射シート２６は、導光板２２の第２主平面２２ｂから漏れ出た光を再び導光板２２に向けて反射する。これらの光学シート２５及び光学シート２６は、アクティブエリア６よりも大きなサイズを有する略矩形状に形成されている。
【００３２】
フレーム２３とベゼルカバー１１との間に挟持された液晶表示パネル２については、アレイ基板３と対向基板４とは、それらの間に液晶層５を保持した状態でシール材ＳＥによって貼り合わせられている。第１光学素子ＯＤ１は、光学シート２５と対向している。また、第２光学シートＯＤ２は、ベゼルカバー１１の窓部１１Ａから露出している。これらの第１光学素子ＯＤ１及び第２光学素子ＯＤ２は、アクティブエリア６よりも大きなサイズを有する略矩形状に形成されている。
【００３３】
図３は、本実施形態の液晶表示装置１に適用可能な照明ユニット１５おける光源部２０及び導光板２２のレイアウトの一例を概略的に示す平面図である。
【００３４】
光源部２０には、複数の発光ダイオードを含むブロックを複数個備えられている。図示した例では、光源部２０は、第１ブロックＢ１、第２ブロックＢ２、第３ブロックＢ３…第ｎブロックＢｎを備えている（但し、ｎは自然数である）。これらの各ブロックは、導光板２２の入射面２２ｃが延出する方向、ここでは第１方向Ｘに沿って同一直線上に並んでいる。なお、各ブロックは、入射面２２ｃが第２方向Ｙに沿って延出している場合には、第２方向Ｙに沿って並んでいても良い。
【００３５】
各ブロックは、同一個数の発光ダイオードＬを含んでいることが望ましく、図示した例では、４個の発光ダイオードＬを含んでいる。すなわち、第１ブロックＢ１は、４個の発光ダイオードＬ１１、Ｌ１２、Ｌ１３、Ｌ１４を含んでいる。同様に、第２ブロックＢ２は４個の発光ダイオードＬ２１、Ｌ２２、Ｌ２３、Ｌ２４を含み、第３ブロックＢ３は４個の発光ダイオードＬ３１、Ｌ３２、Ｌ３３、Ｌ３４を含み、第ｎブロックＢｎは４個の発光ダイオードＬｎ１、Ｌｎ２、Ｌｎ３、Ｌｎ４を含んでいる。なお、ここでは、１ブロックが４個の発光ダイオードＬを含む場合について説明するが、特に４個である必要はない。
【００３６】
これらの発光ダイオードＬ１１〜Ｌ１４、Ｌ２１〜Ｌ２４、Ｌ３１〜Ｌ３４、Ｌｎ１〜Ｌｎ４は、第１方向Ｘに沿って同一直線上に並んでおり、それぞれの発光面Ｅが入射面２２ｃを向くとともに入射面２２ｃから離間するように配置されている。また、これらの発光ダイオードＬ１１〜Ｌ１４、Ｌ２１〜Ｌ２４、Ｌ３１〜Ｌ３４、Ｌｎ１〜Ｌｎ４は、フレキシブルプリント回路基板２１に実装されており、図示した例では、単一のフレキシブルプリント回路基板２１に実装されているが、１ブロック毎あるいは複数ブロック毎に単一のフレキシブルプリント回路基板２１に実装されていても良い。
【００３７】
ところで、本実施形態において、各ブロックの発光ダイオードＬは、比較的狭ピッチであり且つ等ピッチである第１ピッチＰ１で配列されている。例えば、第１ブロックＢ１について、発光ダイオードＬ１１と発光ダイオードＬ１２との間、発光ダイオードＬ１２と発光ダイオードＬ１３との間、発光ダイオードＬ１３と発光ダイオードＬ１４との間のそれぞれのピッチは、第１ピッチＰ１である。図示しないが、他のブロックについても並び方向（ここでは第１方向Ｘ）に隣接する発光ダイオード間のピッチは、第１ピッチＰ１である。つまり、各ブロックにおいて、発光ダイオードは、すべて等ピッチで配列されている。
【００３８】
各ブロックは、ブロック間を第１ピッチＰ１よりも大きな第２ピッチＰ２で配列されている。例えば、第１ブロックＢ１と第２ブロックＢ２との間のピッチ、つまり、第１ブロックＢ１の発光ダイオードＬ１４と第２ブロックＢ２の発光ダイオードＬ２１との間のピッチは第２ピッチＰ２である。また、第２ブロックＢ２と第３ブロックＢ３との間のピッチ、つまり、第２ブロックＢ２の発光ダイオードＬ２４と第３ブロックＢ３の発光ダイオードＬ３１との間のピッチも第２ピッチＰ２である。つまり、各ブロックはすべて等ピッチで配列されている。換言すると、光源部２０を構成するすべての発光ダイオードＬについては、それらの並び方向に沿って粗密のピッチを繰り返しながら配列されている。
【００３９】
各ブロックの並び方向（ここでは第１方向Ｘ）に沿ったブロック長は、略同一である。すなわち、第１ブロックＢ１について発光ダイオードＬ１１の一端側から発光ダイオードＬ１４の他端側までのブロック長、第２ブロックＢ２について発光ダイオードＬ２１の一端側から発光ダイオードＬ２４の他端側までのブロック長、第３ブロックＢ３について発光ダイオードＬ３１の一端側から発光ダイオードＬ３４の他端側までのブロック長、…は、いずれもＡである。
【００４０】
各ブロックが並び方向に沿って繰返し並んで配置されており、この周期をピッチと称する場合もある。このようなピッチをＣとするとき、ピッチＣは、当然のことながら第１ピッチＰ１及び第２ピッチＰ２よりも大きく、またブロック長Ａよりも大きい。実質的に、ピッチＣは、ブロック長Ａと第２ピッチＰ２との総和に相当する。
【００４１】
このような構成の光源部２０において適用される発光ダイオードＬは、例えば、すべて同一色（白色など）に発光するものであるが、厳密には、性能差によって輝度や色度にバラツキが生じている場合がある。このため、各ブロックにおいては、性能差を持った発光ダイオードＬ、例えば、互いに色度ランクが異なる発光ダイオードＬを含むことが想定される。例えば、光源部２０に適用される発光ダイオードＬがすべて白色発光ダイオードである場合、１ブロック内に青みを持った白色発光ダイオードや他の色に色付いた白色発光ダイオードが含まれることがある。このような性能差は、発光ダイオードＬの数が増えるほど大きくなり得る。
【００４２】
照明ユニット１５としては、発光ダイオードＬの性能差によって輝度や色度に大きなバラツキが生じることは避ける必要がある。このため、実装前に、予め発光ダイオードＬの性能毎にランク分けしてから同一ランクのものを適用しようとすると、製造コストの増大に繋がる。また、発光ダイオードＬのそれぞれの性能に合わせて独立して発光を制御しようとすると、調整に時間がかかり、また、発光を制御するための回路を設置する必要がある。
【００４３】
本実施形態においては、光源部２０を構成する各ブロックにおいて、複数の発光ダイオードＬが狭ピッチで配列されている。このため、各発光ダイオードＬの発光面Ｅから出射された出射光が放射状に広がることを利用して、各ブロックにおいて、各発光ダイオードＬからの出射光がミックスされ、導光板２２の内部を伝播する。例えば、図３に示した例では、第２ブロックＢ２において、発光ダイオードＬ２１〜Ｌ２４からの出射光はそれぞれ放射状に広がり、発光ダイオードＬ２２からの放射光が発光ダイオードＬ２２に隣接する発光ダイオードＬ２１及びＬ２３からそれぞれ放射状に広がった出射光とミックスされる。各発光ダイオードＬからの出射光がミックスされる割合は、第１ピッチＰ１が小さいほど多くなる。
【００４４】
このような本実施形態によれば、光源として複数個の発光ダイオードＬを必要とする照明ユニット１５において、例え、発光ダイオード単体の性能差により各発光ダイオードＬの間で輝度や色度に大きなバラツキが生じたとしても、光源部２０の１ブロック内においてこれらの発光ダイオードＬを狭ピッチで配列したことにより、各発光ダイオードＬからの出射光がミックスされるため、照明ユニット１５として（あるいはモジュールとして）みたときの性能バラツキ（輝度バラツキ及び色度バラツキ）は、発光ダイオード単体での性能バラツキよりも低減することが可能となる。
【００４５】
これにより、このような照明ユニット１５を搭載した液晶表示装置によれば、アクティブエリア６における輝度のバラツキや色度のバラツキを抑制することが可能となる。
【００４６】
また、各ブロックの発光ダイオードＬからの出射光がブロック間でミックスされる割合は、ブロック間の第２ピッチＰ２が小さくなるほど多くなる。しかし、ブロック間の第２ピッチが小さくなると、結果的に入射面２２ｃに沿ってより多くの発光ダイオードを配置する必要があり、コストアップや消費電力の増加に繋がるため、好ましくない。このため、ブロック間の第２ピッチＰ２は、各ブロックの発光ダイオードＬからの出射光がミックス可能な範囲（例えば、第１ブロックＢ１の発光ダイオードＬ１４からの出射光と、第２ブロックＢ２の発光ダイオードＬ２１からの出射光とがミックス可能な範囲）でできるだけ広く設定することが望ましい。
【００４７】
これにより、より少ない個数の発光ダイオードＬによって大きなアクティブエリア６を均一に照明することが可能となる。したがって、より表示品位の高い液晶表示装置を提供することが可能となる。
【００４８】
また、本実施形態においては、光源部２０の各発光ダイオードＬは、入射面２２ｃから離間しているため、発光ダイオードＬの発熱による導光板２２の熱変形を抑制することが可能となる。
【００４９】
また、本実施形態においては、各発光ダイオードは、裏面カバー２４や他の放熱板に接着されたフレキシブルプリント回路基板２１に実装されているため、導光板２２との間に適正なクリアランスを確保することができ、しかも、隣接する発光ダイオード間のピッチも適正に維持することが可能となる。
【００５０】
以上説明したように、本実施形態によれば、光源の輝度及び色度のバラツキを低減することが可能な照明ユニット及びこの照明ユニットを備えた液晶表示装置を提供することが可能となる。
【００５１】
上述した実施の形態において説明した透過型の液晶表示パネルとは、アクティブエリア６の少なくとも一部にバックライトユニット１５からの照明光を選択的に透過する透過表示機能を有しているものであれば如何なる構成であっても良く、各画素が反射部及び透過部を有するような半透過型液晶表示パネルも含まれる。
【００５２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５３】
ＬＰＮ…液晶表示パネル
ＡＲ…アレイ基板  ＣＴ…対向基板  ＬＱ…液晶層
１５…照明ユニット
２０…光源部  ２１…フレキシブルプリント回路基板
Ｌ…発光ダイオード  Ｅ…発光面
２２…導光板  ２２ｃ…入射面
【図１】
2012234768.tif 000003
【図２】
2012234768.tif 000004
【図３】
2012234768.tif 000005